(57)【要約】      （修正有）【課題】自転車に取り付け可能な安定性を向上した携帯電話スタンドを提供する。【解決手段】伸縮クランプ式携帯電話スタンドは、筐体１の中部に複数対の主歯車２と従動歯車３が取り付けられ、従動歯車は主歯車に噛み合って逆方向に運動するものと、一端の側面が主歯車に噛み合って縦方向に運動する第１伸縮部材４であって、他端は一体連動する第１内ポケット４０１が設置され、第１伸縮部材の中部に長尺状孔５が設置されるものと、一端の側面がそれぞれ対応する従動歯車に噛合接続して交差分層を形成する第２伸縮部材６および第３伸縮部材７であって、第２伸縮部材および第３伸縮部材の他端にそれぞれ一体連動する第２内ポケット６０１と第３内ポケット７０１が設置されるものと、第１伸縮部材、第２伸縮部材と第３伸縮部材の伸縮量を調整するように、筐体の背部を貫通して長尺孔に取り付けられるロック機構とを備える。【選択図】図１
0003232474.tif 000002
【実用新案登録請求の範囲】
【請求項１】
筐体であって、筐体の中部に複数対の主歯車と従動歯車が取り付けられ、従動歯車は主歯車に噛み合って逆方向に運動するものと、一端の側面が主歯車に噛み合って縦方向に運動する第１伸縮部材であって、第１伸縮部材の他端は筐体の頂部の外端に延伸し一体連動する第１内ポケットが設置され、第１伸縮部材の中部に内側面がラックである長尺状孔が設置され、ラックのツースは斜め上向きに噛合時に第１伸縮部材が上方に移動することを抑えるものと、一端の側面がそれぞれ対応する従動歯車に噛合接続して交差分層を形成する第２伸縮部材および第３伸縮部材であって、第２伸縮部材の他端が筐体の左下隅の外端に延伸して一体連動する第２内ポケットが設置され、第３伸縮部材の他端が筐体の右下隅の外端に延伸して、一体連動する第３内ポケットが設置されるものと、第１伸縮部材、第２伸縮部材と第３伸縮部材の伸縮量を調整するように、第１伸縮部材に設置されるロック機構とを備えることを特徴とする伸縮クランプ式携帯電話スタンド。
【請求項２】
前記ロック機構は、前記長尺状孔内に設置される可動スイッチキーと、前記スイッチキーの正面に設置されるスイッチドームと、前記第１伸縮部材内に取り付けられる複数本の縦方向バネとを含み、前記スイッチキーの一側は前記ラックに噛み合い、前記スイッチキーの端部は前記筐体の裏面を貫通して外へ向き、前記スイッチドームは、前記スイッチキーに当接して前記第１伸縮部材を解放したり、ロックしたりするために用いられ、前記バネの他端は前記筐体の上部に対応する突起部に固定されることで、前記第１伸縮部材に作用する内方収縮の弾性力が形成されることを特徴とする請求項１に記載の伸縮クランプ式携帯電話スタンド。
【請求項３】
前記筐体の裏面に外向きに複数本の縦方向貫通溝が形成される弾性のリング板が設置され、前記リング板に中部開口のリングカバーが螺着されることを特徴とする請求項２に記載の伸縮クランプ式携帯電話スタンド。
【請求項４】
前記リング板内にユニバーサルボールが取り付けられ、前記リングカバーの開口を貫通して前記ユニバーサルボールに固着されるカラーが取り付けられ、前記カラーの端部に快速取り外しねじが設置され、これによって、自転車スタンドに装着されてロックされることを特徴とする請求項３に記載の伸縮クランプ式携帯電話スタンド。
【請求項５】
前記カラーの内側壁にリング状のゴムパッキンが設置されることを特徴とする請求項４に記載の伸縮クランプ式携帯電話スタンド。
【請求項６】
前記第１内ポケットの外側壁に複数本の突出する第１補強リブが設置され、前記第１内ポケットの内側壁に第１滑り止めパットが密着されることを特徴とする請求項１に記載の伸縮クランプ式携帯電話スタンド。
【請求項７】
前記第２内ポケットの外側壁に複数本の突出する第２補強リブが設置され、前記第２内ポケットの内側壁に第２滑り止めパットが密着されることを特徴とする請求項１に記載の伸縮クランプ式携帯電話スタンド。
【請求項８】
前記第３内ポケットの外側壁に複数本の突出する第３補強リブが設置され、前記第３内ポケットの内側壁に第３滑り止めパットが密着されることを特徴とする請求項１に記載の伸縮クランプ式携帯電話スタンド。
【請求項９】
前記筐体は上蓋を含み、前記上蓋は前記筐体の正面に密着されることを特徴とする請求項１〜８のいずれか一項に記載の伸縮クランプ式携帯電話スタンド。
【請求項１０】
前記上蓋の中部に異形孔が設置され、前記上蓋は異形孔においてシリコンゴムパットが設置されて、自転車による振動を緩衝することを特徴とする請求項９に記載の伸縮クランプ式携帯電話スタンド。
【考案の詳細な説明】
【技術分野】
【０００１】
本実用新案は携帯電話スタンドの技術分野に関し、特に伸縮クランプ式携帯電話スタンドに関する。
【背景技術】
【０００２】
スマートフォンの普及に伴い、多くの人が出かけるとき、地図を使ってナビゲーションするようになり、自転車に乗る愛好家は地図を使ってナビゲーションする時、自転車の先端に携帯電話を固定する携帯電話スタンドを設置する必要があり、このように、安全を確保する前提で、携帯電話の地図を使ってナビゲーションする。
【０００３】
しかし、現在の携帯電話スタンドは固定比例で対応する携帯電話の型番に適合し、サイズや型番の異なる携帯電話に完全に合わせることができないため、携帯電話に係合して使用する時、携帯電話がスタンド内で揺れる現象があり、また、携帯電話スタンドは携帯電話のための緩衝保護措置を設置することを考慮していないので、しっかり固定されていないことで携帯電話が落下したり、破損したりする恐れがあり、携帯電話スタンドの使用は不安定性があり、ある程度の安全リスクをもたらす。
【考案の概要】
【考案が解決しようとする課題】
【０００４】
本実用新案は伸縮クランプ式携帯電話スタンドを提供し、従来のスタンドの寸法は、異なるサイズや仕様の携帯電話の取り付けや固定要件を満たしにくく、しかも、しっかりとクランプできず、安定性に欠けないという問題を解決することを目的とする。
【課題を解決するための手段】
【０００５】
伸縮クランプ式携帯電話スタンドであって、筐体であって、筐体の中部に複数対の主歯車と従動歯車が取り付けられ、従動歯車は主歯車に噛み合って逆方向に運動するものと、一端の側面が主歯車に噛み合って縦方向に運動する第１伸縮部材であって、第１伸縮部材の他端は筐体の頂部の外端に延伸し一体連動する第１内ポケットが設置され、第１伸縮部材の中部に内側面がラックである長尺状孔が設置され、ラックのツースは斜め上向きに噛合時に第１伸縮部材が上方に移動することを抑えるものと、一端の側面がそれぞれ対応する従動歯車に噛合接続して交差分層を形成する第２伸縮部材および第３伸縮部材であって、第２伸縮部材の他端が筐体の左下隅の外端に延伸して一体連動する第２内ポケットが設置され、第３伸縮部材の他端が筐体の右下隅の外端に延伸して、一体連動する第３内ポケットが設置されるものと、第１伸縮部材、第２伸縮部材と第３伸縮部材の伸縮量を調整するように、第１伸縮部材に設置されるロック機構とを備える。
【０００６】
好ましくは、前記ロック機構は、前記長尺状孔内に設置される可動スイッチキーと、前記スイッチキーの正面に設置されるスイッチドームと、前記第１伸縮部材内に取り付けられる複数本の縦方向バネとを含み、前記スイッチキーの一側は前記ラックに噛み合い、前記スイッチキーの端部は前記筐体の裏面を貫通して外へ向き、前記スイッチドームは、前記スイッチキーに当接して前記第１伸縮部材を解放したり、ロックしたりするために用いられ、前記バネの他端は前記筐体の上部に対応する突起部に固定されることで、前記第１伸縮部材に作用する内方収縮の弾性力が形成される。
【０００７】
好ましくは、前記筐体の裏面に外向きに複数本の縦方向貫通溝が形成される弾性のリング板が設置され、前記リング板に中部開口のリングカバーが螺着される。
【０００８】
好ましくは、前記リング板内にユニバーサルボールが取り付けられ、前記リングカバーの開口を貫通して前記ユニバーサルボールに固着されるカラーが取り付けられ、前記カラーの端部に快速取り外しねじが設置され、これによって、自転車スタンドに装着されてロックされる。
【０００９】
好ましくは、前記カラーの内側壁にリング状のゴムパッキンが設置される。
【００１０】
好ましくは、前記第１内ポケットの外側壁に複数本の突出する第１補強リブが設置され、前記第１内ポケットの内側壁に第１滑り止めパットが密着される。
【００１１】
好ましくは、前記第２内ポケットの外側壁に複数本の突出する第２補強リブが設置され、前記第２内ポケットの内側壁に第２滑り止めパットが密着される。
【００１２】
好ましくは、前記第３内ポケットの外側壁に複数本の突出する第３補強リブが設置され、前記第３内ポケットの内側壁に第３滑り止めパットが密着される。
【００１３】
好ましくは、前記筐体は上蓋を含み、前記上蓋は前記筐体の正面に密着される。
【００１４】
好ましくは、前記上蓋の中部に異形孔が設置され、前記上蓋は異形孔においてシリコンゴムパットが設置されて、自転車による振動を緩衝する。
【考案の効果】
【００１５】
本実用新案が提供する伸縮クランプ式携帯電話スタンドは、第１伸縮部材を外側に引いて、主歯車と従動歯車の回転を駆動して、従って、第２伸縮部材及び第３伸縮部材が外に展開することを駆動し、仕様やサイズの異なる携帯電話を調整しやすい。また、バネにより第１伸縮部品を内締め、これにより、第１内ポケット、第２内ポケット及び第３内ポケットに携帯電話をクランプさせ、設置したロック機構を利用して第１伸縮部材をロックさせ、この伸縮クランプ式携帯電話スタンドに携帯電話をしっかりとクランプさせて、使用上の安全性を向上させる。
【図面の簡単な説明】
【００１６】
【図１】本実用新案に係る伸縮クリップ式携帯電話スタンドの構造を模式的に示す図である。
【図２】図１のＡ−Ａにおける構造の側面図である。
【図３】図１のＢ−Ｂにおける構造の上面図である。
【図４】本実用新案に係る伸縮クリップ式携帯電話スタンドの構造の分解図である。
【図５】本実用新案に係る伸縮クリップ式携帯電話スタンドの構造の斜視図である。
【考案を実施するための形態】
【００１７】
特に定義されていない限り、本明細書で使用されるすべての技術および科学用語は、当業者が一般的に理解するものと同じである。本明細書に使用される用語は、具体的な実施例を説明するためのものであり、本出願を制限するためのものではない。本出願の明細書と特許請求の範囲及び上述の図面に記載されている用語「含む」、「有する」及びそれらのいかなる変形は、非排他的な包含をカバーすることを意図している。本出願の明細書及び特許請求の範囲又は上述の図面における用語「第１」、「第２」等は、特定の順序を記述するためのものではなく、異なる対象を区別するためのものである。
【００１８】
本明細書で「実施例」と言及することは、実施例に関連して記載された特定の特徴、構造または特性が、本出願の少なくとも１つの実施例に含まれてもよいことを意味する。本明細書中の各箇所に出現するフレーズが必ずしもすべて同一の実施例を指すとは限らず、他の実施例とは相互に排他的な、単独の、または代替的な実施例でもない。当業者に、本明細書に記載された実施例を他の実施例と組み合わせることができることを、明示的にも暗黙的にも理解されたい。
【００１９】
本実用新案の実施例は、伸縮クランプ式携帯電話スタンドを提供し、図１−５に示すように、筐体１であって、筐体１の中部に複数対の主歯車２と従動歯車３が取り付けられ、従動歯車３は主歯車２に噛み合って逆方向に運動するものと、一端の側面が主歯車２に噛み合って縦方向に運動する第１伸縮部材４であって、第１伸縮部材４の他端は筐体１の頂部の外端に延伸し一体連動する第１内ポケット４０１が設置され、第１伸縮部材４の中部に内側面がラック５０１である長尺状孔５が設置され、ラック５０１のツースは斜め上向きに噛合時に第１伸縮部材４が上方に移動することを抑えるものと、一端の側面がそれぞれ対応する従動歯車３に噛合接続して交差分層を形成する第２伸縮部材６および第３伸縮部材７であって、第２伸縮部材６の他端が筐体１の左下隅の外端に延伸して一体連動する第２内ポケット６０１が設置され、第３伸縮部材７の他端が筐体１の右下隅の外端に延伸して、一体連動する第３内ポケット７０１が設置されるものと、第１伸縮部材４、第２伸縮部材６と第３伸縮部材７の伸縮量を調整するように、第１伸縮部材４に設置されるロック機構８とを備える。
【００２０】
本実施例において、筐体１内に設置される主歯車２と従動歯車３は左右に各一対であり、主歯車２は従動歯車３に噛み合い、第１伸縮部材４の下部にある二つの側面はそれぞれ左右における二つの主歯車２に噛み合って縦方向に運動することで、主歯車２は回転して従動歯車３を駆動して逆方向に運動し、（例えば時計回り運動または反時計回り運動）、第１伸縮部材４は端部において第１内ポケット４０１が一体成形され、第１内ポケット４０１は第１伸縮部材４と連動し、即ち、同時に内へまたは外へ移動する。第２伸縮部材６、第３伸縮部材７と左右の従動歯車３が噛合接続して交差分層が形成されるために、左右の従動歯車３に高さ差が形成されるように設けることができ、第２伸縮部材６が筐体１の左下隅の外端に延伸するとともに第３伸縮部材７が筐体１の右下隅の外端に延伸して「三角形」が形成され、これによって、第１伸縮部材４は縦方向に運動、第２伸縮部材６、第３伸縮部材７は一定の角度で傾斜展開または収縮する。
【００２１】
第１伸縮部材４、第２伸縮部材６と第３伸縮部材７の材質は金属であり、第１内ポケット４０１、第２内ポケット６０１と第３内ポケット７０１の材質はプラスチックであり、対応する両者は、生産加工時に一体成形を用いて、同時連動を容易にする。
【００２２】
噛合対象の第１伸縮部材４は伸縮しない時、設置されるロック機構８によって第１伸縮部材４を、緩めないようにロックし、このとき、第２伸縮部材６と第３伸縮部材７は動かず固定される。
【００２３】
例えば、一実施例中において、ユーザーは当該伸縮クランプ式携帯電話スタンドを利用して携帯電話をクランプしようとすると、手で第１内ポケット４０１を押し上げて第１伸縮部材４の上方移動を駆動して、第１伸縮部材４の下部に噛合する左右の主歯車２の回転を駆動し、続いて、左右の従動歯車３を、対応する主歯車２に対して逆方向に回転させて、左右の従動歯車３に対応して噛合する第２伸縮部材６と第３伸縮部材７は、一定の傾斜度で外へ展開し、このとき、ユーザーは携帯電話を、第１内ポケット４０１、第２内ポケット６０１と第３内ポケット７０１で形成される携帯電話の四辺の直角に係合可能な「溝」に置くことができる。一方、手を放すと、第１伸縮部材４はバネ８０２の作用で内締めし、「溝」で携帯電話をきつくクランプし、ロック機構８によって第１伸縮部材４を締め付けて、第２伸縮部材６は動かず固定されるようにし、これによって、該伸縮クランプ式携帯電話スタンドはしっかりと携帯電話をクランプし、携帯電話の使用状態の安全性を確保する。
【００２４】
さらに、ロック機構８は、長尺状孔５内に設置される可動スイッチキー８０１と、スイッチキー８０１の正面に設置されるスイッチドーム８０２と、第１伸縮部材４内に取り付けられる複数本の縦方向バネ８０２とを含み、スイッチキー８０１の一側はラック５０１に噛み合い、スイッチキー８０１の端部は筐体１の裏面を貫通して外へ向き、スイッチドーム８０２は、スイッチキー８０１に当接して第１伸縮部材４を解放したり、ロックしたりするために用いられ、バネ８０２の他端は筐体１の上部に対応する突起部１０４に固定されることで、第１伸縮部材４に作用する内方収縮の弾性力が形成される。
【００２５】
一実施例において、該伸縮クランプ式携帯電話スタンドが仕様やサイズの異なる携帯電話をしっかりとクランプすることを確保するためにロック機構８が設置され、第１伸縮部材４は外へ引っ張られると、バネ８０２の一端は突起部１０４に当接してバネを圧縮させ、バネ８０２の弾性力を利用して第１伸縮部材４に作用してそれを内へ収縮し、それによって「溝」内に配置された携帯電話はバネ８０２の作用で引き締められて携帯電話がしっかりクランプされる。また、筐体１の裏面にあるスイッチキー８０１の端部を押すことで、スイッチキー８０１はラック５０１へ移動してラック５０１と噛み合い、ラック５０１のツースは斜め上方に向き、スイッチキー８０１とラック５０１が噛合するツースは斜め下方に向き、両者が相互にぴったり噛み合って第１伸縮部材４の上方移動を抑えて、スイッチキー８０１の正面に設置されるスイッチドーム８０３によって、スイッチキー８０１に当接して第１伸縮部材４を解放したり、ロックしたりして、携帯電話をしっかりとクランプする。
【００２６】
本実施例において、スイッチキー８０１は、その正面に設置されるスイッチドーム８０３と係止溝構造で弾性的にクランプされ、外力の作用で、スイッチキー８０１は第１伸縮部材４を解放したり、ロックしたりする。
【００２７】
第１伸縮部材４内には、左右の両側にそれぞれ縦方向バネが設置され、その弾性力は第１伸縮部材４の内方収縮に十分である。
【００２８】
さらに、筐体１の裏面に外向きに複数本の縦方向貫通溝が形成される弾性のリング板１０が設置され、リング板１０に中部開口のリングカバー９０４が螺着される。
【００２９】
ユーザ、特に自転車に乗る愛好家がこの伸縮クランプ式携帯電話スタンドを容易に取り付けて使用するように、筐体１の裏面にリング板１０が一体成形されて設置され、該リング板１０は複数本の縦方向貫通溝で構成される中空リングであり、一定の弾性を有し、リングカバー９０４に螺合可能である。
【００３０】
さらに、リング板１０内にユニバーサルボール９０１が取り付けられ、リングカバー９０４の開口を貫通してユニバーサルボール９０１に固着されるカラー９０２が取り付けられ、カラー９０２の端部に快速取り外しねじ９０３が設置され、これによって、自転車スタンドに装着されてロックされ、カラーの内側壁にリング状のゴムパッキンが設置される。
【００３１】
一実施例において、ユーザーの携帯電話スタンドの使用では、自転車に乗っているときにユーザが携帯電話を見る角度及び方向など、様々な異なる需求を有する。ユーザの使用ニーズに応じて、ユニバーサルボール９０１を設置することにより、任意の角度の回転体の要件を満足させ、また、雌ねじを設けたリングカバー９０４によりリング板を螺合でロックすることができる。ライディング中に使用上の安全性を確保するために、ユニバーサルボール９０１を接続するカラー９０２を設置し、その内側壁にリング状のゴムパッキン９０５が設けられ、カラー９０２は、自転車のステムまたはクランプ可能な部位に取り付けるために設けられ、カラー９０２の取り付け時には、快速取り外しネジ９０３により締め付けることができ、自転車の走行中に、振動で、この伸縮クランプ式携帯電話スタンドが揺れたり、方向が変わるのを防ぐことができる。
【００３２】
さらに、第１内ポケット４０１の外側壁に複数本の突出する第１補強リブ４０２が設置され、第１内ポケット４０１の内側壁に第１滑り止めパット４０３が密着され、第２内ポケット６０１の外側壁に複数本の突出する第２補強リブ６０２が設置され、第２内ポケット６０１の内側壁に第２滑り止めパット６０３が密着され、第３内ポケット７０１の外側壁に複数本の突出する第３補強リブ７０２が設置され、第３内ポケット７０１の内側壁に第３滑り止めパット７０３が密着される。
【００３３】
一実施例において、第１内ポケット４０１、第２内ポケット６０１と第３内ポケット７０１で形成される「溝」が携帯電話をしっかりとクランプするように、携帯電話の「溝」内側壁に作用する力を弱めて「溝」を外へ広がり、第１内ポケット４０１、第２内ポケット６０１と第３内ポケット７０１の外側壁に複数本の突出する第１補強リブ４０２、第２補強リブ６０２と第３補強リブ７０２が設置され、該補強リブの役割は、「溝」の靭性と強度を増やすことであり、該伸縮クランプ式携帯電話スタンドが落下して携帯電話、特に携帯電話の四角を壊すことを予防することができ、下向きの作用力を緩衝して、携帯電話が落ちて割れることを避けることができる。また、振動で携帯電話が滑ることを避けるために、「溝」内に第１滑り止めパット４０３、第２滑り止めパット６０３と第３滑り止めパット７０３が設置され、滑り止めパットの表面に摩擦増大突起部位が設置されて、携帯電話をクランプするときの滑り止めの役割を果たすことができる。
【００３４】
さらに、筐体１は上蓋１０１を含み、上蓋１０１は筐体の正面に密着され、上蓋１０１の中部に異形孔１０３が設置され、上蓋１０１は異形孔１０３においてシリコンゴムパット７０３が設置されて、自転車による振動を緩衝する。
【００３５】
自転車の走行中の振動による影響と安全性を低減するため、筐体１の正面に上蓋１０１を設けて、着脱を容易にし、上蓋１０１の上面にシリコンパッド７０３を設けて緩衝保護を行う。
【００３６】
なお、上述した各方法の実施例については、説明を簡単にするために、一連の動作の組み合わせとして記述しているが、当業者であれば、本実用新案は、本明細書に記載された動作手順に限定されるものではなく、本実用新案によれば、あるステップが他の手順を用いたり、同時に実施されたりする可能性があることを認識すべきである。次に、当業者でもあれば分かるように、本明細書に記載された実施例はいずれも好ましい実施例に該当し、係る動作やモジュールは必ずしも本実用新案に必要なものと限らない。
【００３７】
本出願で提供されるいくつかの実施例は、開示された装置が他の方式で実現可能であることを理解すべきである。例えば、上述した装置の実施例は、概略的なものであり、例えば、上記のユニットの区分は、１つの論理機能の区分に過ぎず、実際に実現する際には、別の区分を設けてもよい。例えば、複数のユニット又はコンポーネントを組み合わせてもよく、又は他のシステムに統合してもよく、或いはいくつかの特徴を無視してもよく、或いは実行しなくてもよい。もう１つは、表示または検討されている相互の結合または通信接続は、いくつかのインターフェース、装置またはユニット間の間接的な結合または通信接続であってもよいし、電気通信またはその他の形態であってもよい。
【００３８】
上述した分離された部品として説明されたユニットは、物理的に分離されても、分離されていなくてもよく、ユニットとして表示された部品は、物理的なユニットであってもよいし、物理的なユニットでなくてもよく、１つの場所に位置してもよいし、複数のネットワークユニットに分散してもよい。本実施形例の実施形態の目的は、実際のニーズに応じて、一部または全てのユニットを選択して実現することができる。
【００３９】
以上の実施例は、本実用新案の保護範囲を制限するのではなく、本実用新案の技術案を説明するためのものに過ぎない。明らかに、説明される実施例は、全ての実施例ではなく、本実用新案の一部の実施例に過ぎない。これらの実施例に基づいて、当業者が創造的な労働をしない前提で得られた他の全ての実施例は、本実用新案が保護すべき範囲である。上記実施例を参照しながら詳細な説明を行ったが、当業者であれば依然として、衝突することなく、創造的な労働を行わずに、本実用新案の各実施例の特徴を状況に応じて組み合わせたり、削除したり、その他の調整を行ったりすることができ、これによって異なる、本質的には本実用新案の構想から逸脱しない他の技術案を得ることができ、これらの技術案も同様に本実用新案の保護範囲に属する。
【符号の説明】
【００４０】
１  筐体、
１０１  上蓋
１０２  シリコンゴムパット
１０３  異形孔
１０４  突起部
２  主歯車
３  従動歯車
４  第１伸縮部材
４０１  第１内ポケット
４０２  第１補強リブ
４０３  第１滑り止めパット
５  長尺状孔
５０１  ラック
６  第２伸縮部材
６０１  第２内ポケット
６０２  第２補強リブ
６０３  第２滑り止めパット
７  第３伸縮部材
７０１  第３内ポケット
７０２  第３補強リブ
７０３  第３滑り止めパット
８  ロック機構
８０１  スイッチキー
８０２  バネ
８０３  スイッチドーム
９０１  ユニバーサルボール
９０２  カラー
９０３  快速取り外しねじ
９０４  リングカバー
９０５  リング状のゴムパッキン
１０  リング板
【図１】
0003232474.tif 000003
【図２】
0003232474.tif 000004
【図３】
0003232474.tif 000005
【図４】
0003232474.tif 000006
【図５】
0003232474.tif 000007